(57)【要約】【課題】バッチの区切りを示す仕切りカードが、隣接して配置された紙葉類とともに取出し及び搬送されても、仕切りカードに記録された識別情報を容易に検知する。【解決手段】無線チップを有する仕切りカードを用い、無線チップからの識別情報をカード認識部で検知する。【選択図】      図１
2007112609.tif 000002
【特許請求の範囲】
【請求項１】
作業単位毎に集積された紙葉類と、前記紙葉類上に重ねられ、両主面を有するカード基材及び少なくともカードの識別情報を記録した無線チップを有する仕切りカードとを含む１バッチ分の被処理媒体を、１または複数バッチ重ねて投入する投入部、
前記被処理媒体を前記投入部から取出す取出し機構、
前記取出し機構の後段に設けられ、前記無線チップからの識別情報を検知するカード認識部、
前記被処理媒体の特徴を検知し、判別するための判別ユニット、
前記判別ユニットにおける判別結果に基づいて前記紙葉類を集積する集積部、
前記判別ユニットおける判別結果に基づいて前記仕切りカードを集積する排除部を具備することを特徴とする紙葉類処理装置。
【請求項２】
前記仕切りカードとして、前記集積された紙葉類の取り出し方向前端に重ねられ、前記無線チップに前記紙葉類及び前記仕切りカードの識別情報が記録されたヘッダカードを使用することを特徴とする請求項１に記載の紙葉類処理装置。
【請求項３】
前記仕切りカードとして、前記集積された紙葉類の取り出し方向後端に重ねられ、前記無線チップに前記仕切りカードの識別情報が記録されたトレーラカードをさらに使用することを特徴とする請求項１または２に記載の紙葉類処理装置。
【請求項４】
紙葉類を検出及び判別して集積するための紙葉類処理装置に前記紙葉類を投入する際に、集積された前記紙葉類を作業単位毎に仕切るために配置される仕切りカードであって、
両主面を有するカード状基材、及び少なくともカードの識別情報が記録された無線チップを有することを特徴とする仕切りカード。
【請求項５】
前記集積された紙葉類の取り出し方向前端に重ねられ、前記無線チップは紙葉類の識別情報がさらに記録され、ヘッダカードとして用いられることを特徴とする請求項４に記載の仕切りカード。
【請求項６】
前記集積された紙葉類の取り出し方向後端に重ねられ、トレーラカードとして用いられることを特徴とする請求項４に記載の仕切りカード。
【発明の詳細な説明】
【技術分野】
【０００１】
本発明は、例えば紙幣等を判別処理するための紙葉類処理装置、及び取り扱う紙葉類を区分するための情報及びカードの種類等が記録された仕切りカードに関する。
【背景技術】
【０００２】
紙葉類処理装置で小口の紙葉類のバッチ処理を行う場合、各バッチ間にヘッダカードを挟み込んで、複数バッチの紙葉類を連続して処理する場合が多い。通常、このようなヘッダカードには、カードの識別情報例えばヘッダカードであることを検知部に認識させるための磁気ストライプや磁気パターン等、及び取り扱う紙葉類の識別情報を示すバーコード、シリアル番号、及び顧客番号が印刷されている。また、ヘッダカードとペアでバッチの終了を示すトレーラカードを用いる場合もある。このトレーラカードには、通常、ヘッダカードに記されているバーコードやシリアル番号はなく、ヘッダカードと区別するための磁気ストライプや磁気パターンが印刷されている。さらに、トレーラカードの中にはオペレータの視認性を高めるため全面がヘッダカードとは異なる色で着色されたものも存在する。
【０００３】
しかしながら、従来の紙葉類処理装置においては、ヘッダカードがその前後の紙葉類と共に供給または搬送された場合、カード検知部においてヘッダカードの特徴であるパターン印刷、紙葉類の識別情報を示すバーコード、シリアル番号、顧客番号等を認識することができなかった。このため、当該バッチ処理を改めて実行するか、またはオペレータの手作業で実施していた。この問題点を軽減するために、下記のような対策方法例えば（１）ヘッダカードとペアでバッチの終了を示すトレーラカードやダミーのカードを挿入して、カードと紙葉類との２枚取りを軽減する方法、（２）ヘッダカードの両面に種々の識別情報を記載し、検知部でカードを両面から認識することで、２枚取りされても記録された識別情報を読み取り可能とする方法、（３）カードに磁気ストライプや導電性の物質を塔載し、紙葉類との複数枚取りがあっても、ヘッダカードが取り出されたことを認識可能とする方法（例えば、特許文献１参照）等が提案されている。
【０００４】
ただし、カードが前後の紙葉類と共に取り出された場合、上記（１）、（２）ではカードを認識することができず、また（３）の場合ヘッダカードであることは認識できてもカードの持つバーコード情報、シリアル番号、及び顧客番号等は認識することができないという不具合があった。
【特許文献１】特表２０００−５０３９５６号公報
【発明の開示】
【発明が解決しようとする課題】
【０００５】
本発明は、上記事情を鑑みて成されたもので、バッチの区切りを示す仕切りカードが、隣接して配置された紙葉類とともに取出し及び搬送されても、仕切りカードに記録されたカードの識別情報及び紙葉類の識別情報を容易に検知し得る紙葉類処理装置、及びこれに用いられる仕切りカードを提供することを目的とする。
【課題を解決するための手段】
【０００６】
本発明の紙葉類処理装置は、作業単位毎に集積された紙葉類と、前記紙葉類上に重ねられ、両主面を有するカード基材及び少なくともカードの識別情報を記録した無線チップを有する仕切りカードとを含む１バッチ分の被処理媒体を、１または複数バッチ重ねて投入する投入部、
前記被処理媒体を前記投入部から取出す取出し機構、
前記取出し機構の後段に設けられ、前記無線チップからの識別情報を検知するカード認識部、
前記被処理媒体の特徴を検知し、判別するための判別ユニット、
前記判別ユニットにおける判別結果に基づいて前記紙葉類を集積する集積部、
前記判別ユニットおける判別結果に基づいて前記仕切りカードを集積する排除部を具備することを特徴とする。
【０００７】
本発明の仕切りカードは、紙葉類を検出及び判別して集積するための紙葉類処理装置に前記紙葉類を投入する際に、集積された前記紙葉類を作業単位毎に仕切るために配置される仕切りカードであって、
両主面を有するカード状基材、及び少なくともカードの識別情報が記録された無線チップを有することを特徴とする。
【発明の効果】
【０００８】
本発明を用いて紙葉類の処理を行うと、仕切りカードが、隣接して配置された紙葉類とともに取出し及び搬送されても、仕切りカードの識別情報、及び紙葉類の識別情報を容易に検知し得る。
【発明を実施するための最良の形態】
【０００９】
以下、図面を参照し、本発明の一実施形態について説明する。
【００１０】
図１は、本発明に係る紙葉類処理装置の一例として、例えば、複数の銀行から送られた銀行券（紙葉類）を検査して再使用するため結束する銀行券処理装置１（以下、単に処理装置１と称する）の概略構成図を示す。
【００１１】
処理装置１は、後述するヘッダカードを間に挟んだ集積状態の複数枚の銀行券を投入する投入部２を有する。ヘッダカードには、ＲＦＩＤ(Radio Frequency Identification)技術を用いた無線チップが塔載されており、この無線チップには、カード識別情報例えばヘッダカードであることを示す情報、及び紙葉類の識別情報例えば処理単位毎の銀行券の顧客番号及びこの処理単位に使用されるカードのシリアル番号等の情報が登録され得る。
【００１２】
処理装置１に銀行券を投入する前段の処理として、１処理単位（以下、バッチと称する）の被処理媒体例えば銀行の各支店から送られた１まとまりの同一金種の集積状態の銀行券の上に、上記１枚のヘッダカードを集積し得る。さらに、その上に次のバッチの被処理媒体として、銀行券およびヘッダカードを集積し得る。
【００１３】
また運用によっては、バッチの先端にヘッダカード、バッチの後端にトレーラカードを挿入することができる。このトレーラカードにも無線チップが塔載されており、この無線チップには、カード識別情報例えばトレーラカードであることを示す情報が登録され得る。
【００１４】
この例ではヘッダカードとトレーラカードの両方を使用する場合について説明する。なお、各バッチの銀行券の枚数は同じとは限らない。このようにして、処理装置１に、１回に投入可能なバッチ数の銀行券、及び１バッチ毎にその先端を仕切るヘッダカード、及び１バッチ毎にその後端を仕切るトレーラカードからなる被処理媒体１１が集積して投入される。
【００１５】
このとき、各バッチ毎に挿入したヘッダカードの無線チップに登録された情報に関連付けて、オペレータにより、図示しない操作部例えばパーソナルコンピュータ等から各バッチの銀行券に関するデータとして、銀行名、支店名、銀行券の金種、及び枚数等が入力される。このようにして前処理時に入力されたバッチデータは、後段の処理装置１による計数結果との照合に用いられる。
【００１６】
投入部２の後段には、投入部２に投入されたヘッダカード、銀行券、及びトレーラカード（以下、総称して被処理媒体とする場合もある）をその前端のものから１枚ずつ取出す取出し機構３が設けられている。取出し機構３は、例えば被処理媒体を上下または左右から挟持し、モータからの駆動を受けて、被処理媒体を所定のピッチで取出し、搬送路４に送り出すようになっている。
【００１７】
取出し機構３の下流側には、吸着ローラ等により取出された被処理媒体を処理装置１内を通して搬送する搬送路４が延設されている。搬送路４上には、図示しない搬送ベルトや駆動プーリが配設され、図示しない駆動モータによって搬送ベルトを走行させることにより被処理媒体を搬送路４を介して一定速度で搬送させるようになっている。
【００１８】
取出し機構３から延びた搬送路４上には、無線チップからの識別情報を検知するカード認識部としてＲＦＩＤリーダ１２が設けられている。ＲＦＩＤリーダ１２は、ヘッダカードが通過する際に無線チップから通信される情報を非接触で受信し、受信した情報データを図示しない制御部に送る。また、搬送される被処理媒体は、常に、制御部により監視されている。
【００１９】
ＲＦＩＤリーダ１２の後段には、搬送路４を介して搬送されている被処理媒体の特徴を検知し、判別するための判別ユニット５が設けられている。判別ユニット５には、例えば被処理媒体の特性を検出する図示しない検出部、及び検出部からの被処理媒体の検出情報を処理する図示しない検出情報処理部等が設けられ得る。例えばＲＦＩＤリーダ１２からの情報データにより、ヘッダカードと認識された被処理媒体は、検出部で、その厚さが検知され得る。当該被処理媒体の厚さが、銀行券２枚分以上に相当すると判断された場合、ヘッダカードは銀行券とともに重送されている可能性が高い。さらに３枚分以上の厚さが検知された場合、ヘッダカードの前後の銀行券にヘッダカードが挟まれた状態で搬送されていると考えられる。ヘッダカードに記録される例えば顧客番号やシリアル番号等の識別情報がバーコードであると、ヘッダカードが銀行券で挟まれて搬送された場合、番号情報が得られず、そのバッチは正しく処理されないため、機械の動作を停止したり、後から手作業での整理業務を行う必要がある。これに対し、本発明にかかる処理装置では、ヘッダカードにバーコード印字が必要なく、また重送しても無線チップから非接触でカード情報及び被処理媒体の情報を検出することができるため、安定したバッチ処理を実現できる。
【００２０】
なお、トレーラカードをさらに使用した場合についても、安定したバッチ処理が実現できる。しかしながら、本発明によれば、重送されてもカードの存在が認識されるため、例えトレーラカードを使用しなくても、安定したバッチ処理が可能である。
【００２１】
判別ユニット５の下流側の搬送路４上には、６つのゲートＧ１〜Ｇ７が順次配設されている。各ゲートＧ１〜Ｇ７は、判別ユニット５における検出結果に基づいて図示しない制御部による制御に従って切換えられ、当該被処理媒体を所定の処理部へ指向する。
【００２２】
判別ユニット５の直後に配設されたゲートＧ１は、搬送路４を排除搬送路４ａに分岐する位置に設けられ、判別ユニット５を介して正規の銀行券ではないことが検出された排除券やヘッダカードを排除搬送路４ａへ分岐するように切換えられる。排除搬送路４ａの終端には、取出し機構３にて取出した姿勢のまま、すなわち表裏を反転しないで、排除券やヘッダカードをその取出し、順序を変えずに集積する排除集積部８（排除部）が設けられている。例えば、投入部２に表面を上にして投入されて取出されたヘッダカードは、表面を上にして排除集積部８に集積される。排除集積部８には、この他に、銀行券を重ね取りしたもの、銀行券とヘッダカードを重ね取りしたもの、ヘッダカードを重ね取りしたもの、及びトレーラカードなどが集積される。
【００２３】
判別ユニット５で正常と判断された銀行券は搬送部４をさらに進み、判別ユニット５の方向の情報により、次のゲートＧ２にて反転部１３へ行くか、あるいは反転部１３を通らずにそのまま進むかのいずれかに区別される。反転部１３は例えば銀行券の表裏反転や正逆反転が可能な機構部であり、４つの異なる方向（表正、表逆、裏正、裏逆）で供給された紙葉類を１つの方向（例えば表正）、または２つの方向（例えば表正、表逆）に揃えることができる。この反転部１３は、必要に応じて、省略することができる。
【００２４】
また、ゲートＧ２の下流側の搬送路４に沿って設けられたゲートＧ３〜Ｇ７によって分岐された位置には、それぞれ集積・結束を行うための第１乃至第６の集積部９ａ〜９ｆ（以下、必要に応じて、総称して集積部９とする）が配設されている。集積部９には、ゲートＧ1を介して導かれた排除券以外の銀行券のうち再使用可能な正券だけが集積されて結束される。例えば第１および第２の集積部９ａ、９ｂには、表面を上にした正券が１００枚ずつ集積されて結束され、第３および第４の集積部９ｃ、９ｄには、裏面を上にした正券が１００枚ずつ集積されて結束される。集積部９で結束された正券は、図示しないコンベア等によって機外へ排出されて再使用に供される。
【００２５】
本発明による紙葉類判別装置を用いると、バッチの区切りを示すヘッダカードが前後の銀行券とともに取出し・搬送されても、ヘッダカードであることはもちろん、カードに記録された識別情報であるシリアル番号、顧客番号等を正確に認識することができる。同様にバッチの終わりを示すトレーラカードについても、銀行券とともに取出し・搬送されてもトレーラカードであることを正確に認識することができる。
【００２６】
図２及び図３に、本発明に使用されるヘッダカードとトレーラカードの一例を各々示す。
【００２７】
この例では、被処理媒体は長方形であって、長辺と垂直の方向に搬送される。
【００２８】
図２に示すように、このヘッダカード２０では、例えば１６０×８５ｃｍの大きさの長方形を有するカード基材１４の中央部に、カード及び紙葉類の識別情報を記録し得る例えば１×１ｍｍの大きさの無線チップ１５が設けられている。また、ヘッダカードの上下を識別し、ヘッダカードであることを目視で判断し得るように、その少なくとも一主面に例えばヘッダカードのシリアル番号等の文字情報１６を印刷し得る。また、ヘッダカードの厚さは、銀行券との識別を容易にするため、銀行券の厚さと異なる厚さになっている。
【００２９】
また、図３に示すように、トレーラカード３０は、例えば１６０×８５ｃｍの大きさの長方形を有するカード基材１７の中央部に、カード及び紙葉類の識別情報を記録し得る例えば１×１ｍｍの大きさの無線チップ１８が設けられている。また、トレーラカード３０の上下を識別し、トレーラカード３０であることを目視で判断し得るように、その少なくとも一主面に例えばトレーラカード３０の文字情報１９を印刷し得る。また、トレーラカード３０の厚さは、銀行券との識別を容易にするため、銀行券の厚さと異なる厚さになっている。また、トレーラカードはバッチの終了を示すものであるため、登録される識別情報はすべてのトレーラカードで同一の内容にすることができる。
【００３０】
尚、上記ヘッダカード、トレーラカードでは、無線チップは、例えばプラスチック及び紙等の材料からなる一対のカード基材の中央に無線チップを配置し、この一対のカード基材を例えば熱融着、あるいは接着剤を用いて接着すること等により積層して形成することができる。無線チップを中央に設けると、短手搬送、長手搬送いずれの場合でも、無線チップが中央に配置され得る。
【００３１】
次に、図２に示すヘッダカードと図３に示すトレーラカードを用いたバッチ処理システムの一例について、図４及び図５に示す被処理媒体の識別及び取り出しを行うためのフローチャート、図６に示す無線及びブロック図を用いて説明する。
【００３２】
まず、ヘッダカード、集積された紙葉類、及びトレーラーカードを１バッチとして、複数のバッチをひとまとめにして紙葉類処理装置１の投入部１１に供給する。
【００３３】
次に、オペレータが作業開始の操作を図示しない操作部２３から指示し、１枚目の被処理媒体を取り出す（Ｓ１）。
【００３４】
その後、この指示を受けて、１枚目の被処理媒体の識別を開始する（Ｓ２）。
【００３５】
次に、被処理媒体がＲＦＩＤリーダ１２を通過したか検出する（Ｓ３）。通過していない場合には、検出を続ける。
【００３６】
通過した場合には、ＲＦＩＤリーダ１２が無線チップから受けたカード及び銀行券の識別情報信号を、制御部２２が受信したかどうかを判別する（Ｓ４）。
【００３７】
識別情報信号を制御部２２が受信していない場合には、媒体がＲＦＩＤリーダ１２の通過を終了したか判別する（Ｓ５）。
【００３８】
終了していない場合は、再度、ＲＦＩＤリーダ１２からのカード及び銀行券の識別情報信号を制御部２２が受信したかどうかを判別（Ｓ４）し、終了した場合には、被処理媒体が銀行券であると認識し（Ｓ６）、後続の被処理媒体の識別を行う（Ｓ７）。
【００３９】
また、識別情報信号を制御部２２が受信した場合には、信号の解読を行い（Ｓ８）、ヘッダカードであるか判別する（Ｓ９）。
【００４０】
ヘッダカードではない場合、先頭にヘッダカードがないと認識し（Ｓ１０）、この情報を制御部２２から操作部２３及び表示部２４に通知し、ヘッダカードがないことを表示部２４に表示させ（Ｓ１１）、被処理媒体の取り出しを終了する。
【００４１】
ヘッダカードである場合には、ヘッダカードと認識し（Ｓ１２）、後続の媒体の取り出しを行い（Ｓ７）、上記Ｓ３，Ｓ４，及びＳ８の工程と同様にして、ヘッダカードであるか判別する（Ｓ１３）。
【００４２】
ヘッダカードでない場合には、トレーラカードであるか判別する（Ｓ１４）。トレーラカードでない場合、取り出しを開始する（Ｓ１５）。トレーラカードである場合には、後続カードがないか判別する（Ｓ１６）。後続カードがある場合、Ｘ枚分取り出しを停止する（Ｓ１７）。後続カードがない場合、処理を終了する。
【００４３】
ヘッダカードである場合、１つ前はトレーラカードであるか判別する（Ｓ１８）。１つ前がトレーラカードでない場合、カード異常を認識し（Ｓ１９）、この情報を制御部２２から操作部２３及び表示部２４にエラーとして通知すると共に、表示部２４にエラーを表示させ（Ｓ２０）、処理を停止する。１つ前がトレーラカードである場合、後続の媒体の取り出しを開始する（Ｓ７）。
【００４４】
また、上記ＲＦＩＤを搭載したカードは、上記ヘッダカード、トレーラカードのみならず、機器の調整を目的とした模擬券として機能させることもできる。
【００４５】
種々の国の銀行券に、それぞれ固有なコード情報を対応させることにより、紙葉類処理装置内に本券を流さなくても、銀行券の券種ごとの搬送・振り分け動作の確認が可能であり、効率的で経費の掛からない紙葉類処理装置を実現することができる。
【００４６】
固有なコード情報の例として、下記表１にＲＦＩＤのコード情報（例えば１６ビット）とカードの種類の関係を示す。
【表１】
2007112609.tif 000003
【図面の簡単な説明】
【００４７】
【図１】本発明に係る紙葉類処理装置の一例を表す概略構成図
【図２】本発明に使用されるヘッダカードの一例を表す正面図
【図３】本発明に使用されるトレーラカードの一例を表す正面図
【図４】被処理媒体の識別及び取り出しを行うためのフローチャート
【図５】被処理媒体の識別及び取り出しを行うためのフローチャート
【図６】無線により仕切りカードを認識する機構を表すブロック図
【符号の説明】
【００４８】
１…紙葉類処理装置、２…投入部、３…取出し機構、５…判別ユニット、９…集積部、８…排除部、１１…紙葉類、１２…カード認識部、１４，１７…カード基材、１５，１８…無線チップ、２０，３０…仕切りカード
【図１】
2007112609.tif 000004
【図２】
2007112609.tif 000005
【図３】
2007112609.tif 000006
【図４】
2007112609.tif 000007
【図５】
2007112609.tif 000008
【図６】
2007112609.tif 000009